(57)【要約】【課題】使い慣れない人にも容易に目的とする電解水を得ることができるものとする。【解決手段】電解槽での水の電気分解で得られる電解水を吐出する電解水生成装置である。器体表面には電解槽の動作を指示するための操作パネル２が配設されている。この操作パネル２は、操作指示される内容に応じてその表示を変更するとともに表示に対応した動作を電解槽に行わせる。操作パネルにはその時点で操作可能な内容のみが表示されるものとすることができる。【選択図】図１
2005144335.tif 000002
【特許請求の範囲】
【請求項１】
電解槽での水の電気分解で得られる電解水を吐出する電解水生成装置であって、その器体表面には電解槽の動作を指示するための操作パネルが配設されており、該操作パネルは、操作指示される内容に応じてその表示を変更するとともに表示に対応した動作を電解槽に行わせるものであることを特徴とする電解水生成装置。
【請求項２】
操作パネルは予め選択された設定をデフォルトの設定としてその設定内容の表示を行うとともに操作指示された際に上記デフォルト設定の動作を電解槽に行わせるものであることを特徴とする請求項１記載の電解水生成装置。
【請求項３】
操作パネルはタッチパネル付き液晶ディスプレーで形成されていることを特徴とする請求項１または２記載の電解水生成装置。
【発明の詳細な説明】
【技術分野】
【０００１】
本発明は、電解水生成装置、殊にその操作パネルに関するものである。
【背景技術】
【０００２】
電解水生成装置では電解槽での水の電気分解でアルカリイオン水や酸性イオン水を選択的に得ることができるようになっているとともに、アルカリイオン水でも飲用に適したｐＨ値のものや、アク抜きに適したｐＨ値のものを得ることができるようにしたり、酸性イオン水でもアストリンゼント用に適したｐＨ値のものと殺菌などに適したｐＨ値のものを得ることができるようにしているものが多い。
【０００３】
このために、電解水生成装置ではどのような電解水を得たいのかを指示するために多くのスイッチ類を配したものとなっているのが現状であり、殊に機能を増やせば増やすほど、スイッチ類も多くなってしまっている。
【０００４】
この場合、この種の機器を使い馴れていない人には、どのスイッチを操作すればよいのかの判断に非常に戸惑うことが多く、使い勝手が悪い上に、時には希望する用途の電解水とは異なるものを誤って吐出させてしまう可能性もある。
【０００５】
操作するスイッチの数を少なくして、そのスイッチの操作回数で各種選択を行うようにしたものもあるが、これはこれで操作しなくてはならない回数が増えたり、操作しすぎてしまったりすることがあるために、操作性が悪い。
【０００６】
また、細かい設定が可能となっているものにおいては、取り扱い説明書を見ながら操作しなければならないようなことが多いが、電解水生成装置は水回りに設置されるものであるために、取り扱い説明書を水で濡らしてしまうことも多々生じる。
【特許文献１】特開２００１−０８７７６６号公報
【特許文献２】特開２００１−０６２４５１号公報
【発明の開示】
【発明が解決しようとする課題】
【０００７】
本発明は上記の従来の問題点に鑑みて発明したものであって、その目的とするところは使い慣れない人にも容易に目的とする電解水を得ることができるとともに細かい設定も容易に行うことができる電解水生成装置を提供することを課題とするものである。
【課題を解決するための手段】
【０００８】
上記課題を解決するために本発明に係る電解水生成装置は、電解槽での水の電気分解で得られる電解水を吐出する電解水生成装置であって、その器体表面には電解槽の動作を指示するための操作パネルが配設されており、該操作パネルは、操作指示される内容に応じてその表示を変更するとともに表示に対応した動作を電解槽に行わせるものであることに特徴を有している。操作パネルにはその時点で操作可能な内容のみが表示されるものである。
【０００９】
操作パネルは予め選択された設定をデフォルトの設定としてその設定内容の表示を行うとともに操作指示された際に上記デフォルト設定の動作を電解槽に行わせるものであってもよい。日常的に単一種の使用しかしない場合は、選択操作を行う必要もなくなる。
【００１０】
そして、上記操作パネルにはタッチパネル付き液晶ディスプレーを好適に用いることができる。
【発明の効果】
【００１１】
本発明は、器体表面に配した操作パネルが操作指示される内容に応じてその表示を変更するとともに表示に対応した動作を電解槽に行わせるものであるために、操作パネルには用途別や目的別といった内容で操作を行うことができるものとすることができるものであり、しかもその時点で不必要な内容は表示しない上に指示することもできないようにできるものであって、このために使い馴れない使用者においても、希望する電解水を確実に吐出させることができるものであり、また細かい設定も説明書無しで容易に行うことができる。
【発明を実施するための最良の形態】
【００１２】
以下、本発明を添付図面に示す実施形態に基いて説明すると、図２及び図３に示す電解水生成装置は、その器体１の内部に浄水手段１０及び電解槽１１を内蔵するとともに電解槽１１の動作及び水の流れを切り換える電磁弁１２の動作を制御する制御部１３を内蔵して、浄水手段１０を通過した浄水と、電解槽１１での水の電気分解で得られるアルカリイオン水と、同じく電解槽１１での水の電気分解で得られる酸性イオン水を選択的に吐出させることができるものであり、器体１の上端面には上記吐出のための吐出管１５を備えている。この吐出管１５は、水平面内で首振り自在となっているとともに、図４に示すように途中の屈曲可能部を屈曲させることによって、先端の吐出口の高さを変えることができるようになっている。
【００１３】
また、上記器体１の前面には操作パネル２が配設されている。この操作パネル２は上記制御部１３に対して動作指示を与えるとともに、現在の設定情報等を使用者に知らせるための表示パネルを兼ねたもので、タッチパネル付きの液晶ディスプレーで構成されている。なお、この電解水生成装置では、操作パネル２以外に操作することができるスイッチ類を全く備えていない。
【００１４】
図１に上記操作パネル２の表示及び操作に関する一例を示す。操作パネル２の全面に背景画像が表示されているとともにこの背景画像上に「水の種類で選ぶ」と「使用目的で選ぶ」と「パーソナルモード切替」と「その他の設定」の各ボタン２１が表示されており、これらボタン２１のうち、「使用目的で選ぶ」のボタン２１に触れたならば、それまでの表示に代えて、「健康管理に使う水」と「料理に使う水」と「美容に使う水」の各ボタン２１が表示される。また、この中の「健康管理に使う水」のボタン２１に触れたならば、「消化不良・慢性下痢・胃酸過多などに」のコメントの表示とともに、「飲み始めの方に」と「飲みなれてきたら」と「日常的な飲用に」と「薬を飲む」の各ボタン２１がそれまでの表示に代えて表示され、ここから「日常的な飲用に」のボタン２１に触れたならば、図５に示すように、それまでの表示に代えて吐出する電解水がｐＨ９．５のアルカリイオン水であり且つ日常飲用のためのものであることが表示される。
【００１５】
「水の種類で選ぶ」のボタン２１に触れた時には、それまでの表示に代えて「アルカリ水」と「酸性水」と「浄水」の各ボタン２１が表示され、ここで「アルカリ水」のボタン２１に触れたならば、それまでの表示に代えて「飲み始めの方に」と「炊飯やお茶を入れるときに」と「日常的な飲用に」と「煮物やアク抜きに」のボタン２１が表示される。なお、これらのボタン２１は、アルカリの強度表示と共に表示され、「煮物やアク抜きに」のボタン２１には、「のめません」の注記も表示される。そして、ここから「アルカリ水」のボタン２１に触れたならば、図５に示す表示に入れ替わる。
【００１６】
なお、図１の「水の種類で選ぶ」と「使用目的で選ぶ」と「パーソナルモード切替」と「その他の設定」の各ボタン２１が表示されている状態の時に、「ヘルプ」のボタン２２に加えて「もどる」のボタン２３も表示されているのは、この電解水生成装置は図７に示す「かんたんモード」の表示を初期画面とし、この状態から図６(b)に示す「パーソナルモード」に切り換えて、ここで「設定を変更」のボタン２４に触れた時に、図６(a)の画面を介して図１の画面に切り替わるようにしているために、つまり図１は「パーソナルモード」で使用する設定を決定するためのものとしているためであり、これ故に図５に「設定完了」の表示もなされたものとなっている。
【００１７】
図７に示した「かんたんモード」の画面は、アルカリ水と酸性水の主要な用途を夫々示す「飲み始めの方に」と「炊飯やお茶を入れるときに」と「日常的な飲用に」と「煮物やアク抜きに」のボタン２１並びに「アストリンゼント」と「洗い物」のボタン２１、そして浄水の用途である「薬・ミルク」のボタン２１を表示しているとともに、上記「パーソナルモード」に移行するためのボタン２６を表示しているもので、この「かんたんモード」で表示されているいずれかのボタン２１に触れた時、該当する電解水または浄水の吐出がなされる。
【００１８】
一方、「パーソナルモード」は、使用者の好みや主要な用途といったことから頻繁に使用するｐＨ値の電解水を制御部１３に記憶させておき、このｐＨ値の電解水を操作パネル２に触れれば吐出することができるようにしているものであり、ここでは図６(a)に示すように、５つの設定を記憶させてこの中から利用者が選択した１つを「パーソナルモード」で表示するとともに操作パネル２に触れた時に吐出される電解水としている。そして、図１に示した操作パネル２の各画面は、「パーソナルモード」で記憶させることができる上記５つの設定を使用者が選択するためのものとして形成されている。
【００１９】
このために、この電解水生成装置では、通常時、操作パネル２には待機画面として画像（静止画像でも動画像でもよい）のみを操作パネル２に表示しており、この状態で操作パネル２に触れたならば、図７に示す「かんたんモード」の画面が表示され、ここで用途別で示されたボタン２１のいずれかに触れたならば、該当する電解水または浄水が吐出される。
【００２０】
上記「かんたんモード」の画面で「パーソナルモードへ」のボタン２６に触れたならば、図６(b)に示す「パーソナルモード」の画面となって現在の設定のボタン２８が表示されるとともに「かんたんモード」に戻るためのボタン２７と前述の「設定変更」のボタン２４とが表示され、ボタン２８に触れたならば、その設定の電解水または浄水が吐出される。そして、「設定変更」のボタン２４に触れたならば、図１に示すような推移で図６(a)に示す５つの設定のうちの１つに設定するものを指定することができる。細かい設定を取り扱い説明書などを見なくても設定することができる。
【００２１】
図１に示した表示及び操作を上記「パーソナルモード」の設定変更のためのものとしてではなく、吐出させる電解水を選択して吐出させるためのものとしてもよいのはもちろんである。
【００２２】
いずれにしても、操作することができるボタン２１〜２８は、各画面において所定のものが表示されるだけであり、操作する必要のないものは表示されない上に、ボタン２１とともに表示される項目は使用者が得たいと思っている用途別あるいは水質別の電解水にたどり着くためのガイダンスとなっていることから、馴れない使用者においても確実に目的の電解水（あるいは浄水）を吐出させることができる。
【図面の簡単な説明】
【００２３】
【図１】本発明の実施の形態の一例の操作パネルの表示推移を示す説明図である。
【図２】同上の斜視図である。
【図３】同上のブロック回路図である。
【図４】同上の斜視図である。
【図５】同上の操作パネルの表示の一例の説明図である。
【図６】(a)(b)は同上の操作パネルの表示の一例の説明図である。
【図７】同上の操作パネルの表示の一例の説明図である。
【符号の説明】
【００２４】
１  器体
２  操作パネル
２１  ボタン
【図１】
2005144335.tif 000003
【図２】
2005144335.tif 000004
【図３】
2005144335.tif 000005
【図４】
2005144335.tif 000006
【図５】
2005144335.tif 000007
【図６】
2005144335.tif 000008
【図７】
2005144335.tif 000009